(57)【要約】【課題】  バススピーカを具備させて音響効果を向上させることができるとともに、バススピーカ及び左右サテライトスピーカのアンプ基板を共用させて、当該アンプ基板の設置スペースを低減させることができるパチンコ遊技機を提供する。【解決手段】  遊技進行全般に係る制御を行うメイン基板１７と、該メイン基板１７からの信号に基づき音声信号を発生する音声制御基板２０と、該音声制御基板２０からの音声信号を増幅するアンプ基板９と、該アンプ基板９で増幅された音声信号に基づき音声を出力する左右サテライトスピーカ６とを具備したパチンコ遊技機において、アンプ基板９により増幅された音声信号に基づき低周波音響出力を出すバススピーカＢＳを具備するとともに、アンプ基板９が当該バススピーカＢＳ及び左右サテライトスピーカ６と電気的に接続されたものである。【選択図】図６
2006167115.tif 000002
【特許請求の範囲】
【請求項１】
遊技進行全般に係る制御を行うメイン基板と、
該メイン基板からの信号に基づき音声信号を発生する音声制御基板と、
該音声制御基板からの音声信号を増幅するアンプ基板と、
該アンプ基板で増幅された音声信号に基づき音声を出力する左右サテライトスピーカと、
を具備したパチンコ遊技機において、
前記アンプ基板により増幅された音声信号に基づき低周波音響出力を出すバススピーカを具備するとともに、前記アンプ基板が当該バススピーカ及び前記左右サテライトスピーカと電気的に接続されたことを特徴とするパチンコ遊技機。
【請求項２】
前記バススピーカは、内部に空間を有する略箱形状の筐体内に収容されてバススピーカユニットを構成するとともに、当該バススピーカユニットの背面に前記アンプ基板を固着して搭載し、パチンコ遊技機を構成する内枠の所定部位に組み付けられることを特徴とする請求項１記載のパチンコ遊技機。
【請求項３】
前記バススピーカユニットが取り付けられる前記内枠の所定部位は、当該バススピーカユニットの背面側に壁面が形成されていることを特徴とする請求項２記載のパチンコ遊技機。
【請求項４】
前記音声制御基板と前記アンプ基板との配線接続は、遊技盤を前記内枠に組み付ける際、同時に接続されるフローティングコネクタにて行われることを特徴とする請求項２又は請求項３に記載のパチンコ遊技機。
【発明の詳細な説明】
【技術分野】
【０００１】
本発明は、左右サテライトスピーカを具備して音声による演出効果を高めたパチンコ遊技機に関するものである。
【背景技術】
【０００２】
パチンコ遊技機は、一般に、遊技全般に係る制御を行うメイン基板と、該メイン基板と電気的に接続されたサブ制御基板（図柄制御基板、ランプ制御基板、及び音声制御基板など）とを主に有しており、遊技内容に応じた視覚的又は聴覚的演出を行い得るよう構成されている。例えば、図柄制御基板により、遊技盤に設けられた図柄表示手段における図柄を変動又は停止表示させるとともに、ランプ制御基板にてランプ類を点滅又は点灯させ、音声制御基板にてスピーカから音声や効果音を発生することによる演出効果により遊技性を向上していた。特に、近時においては、音響効果を重視して例えば左右サテライトスピーカ（左右独立に音声出力可能なステレオスピーカ）等を具備したパチンコ遊技機が提供されるに至っており、音声出力がより複雑化しているのが現状である。（例えば特許文献１参照）
【特許文献１】特開２０００−１４８６７号公報
【発明の開示】
【発明が解決しようとする課題】
【０００３】
しかしながら、上記従来のパチンコ遊技機においては、音響効果を更に高める要求があり、低周波音響出力を出すバススピーカをパチンコ遊技機に配設することが検討されるに至っている。然るに、バススピーカと左右サテライトスピーカの両者を具備させた場合、音声を増幅して出力させるためのアンプ基板がそれぞれに必要となってしまい、それらアンプ基板を設置するための大きなスペースが必要となってしまうという問題があった。
【０００４】
本発明は、このような事情に鑑みてなされたもので、バススピーカを具備させて音響効果を向上させることができるとともに、バススピーカ及び左右サテライトスピーカのアンプ基板を共用させて、当該アンプ基板の設置スペースを低減させることができるパチンコ遊技機を提供することにある。
【課題を解決するための手段】
【０００５】
請求項１記載の発明は、遊技進行全般に係る制御を行うメイン基板と、該メイン基板からの信号に基づき音声信号を発生する音声制御基板と、該音声制御基板からの音声信号を増幅するアンプ基板と、該アンプ基板で増幅された音声信号に基づき音声を出力する左右サテライトスピーカとを具備したパチンコ遊技機において、前記アンプ基板により増幅された音声信号に基づき低周波音響出力を出すバススピーカを具備するとともに、前記アンプ基板が当該バススピーカ及び前記左右サテライトスピーカと電気的に接続されたことを特徴とする。
【０００６】
請求項２記載の発明は、請求項１記載のパチンコ遊技機において、前記バススピーカは、内部に空間を有する略箱形状の筐体内に収容されてバススピーカユニットを構成するとともに、当該バススピーカユニットの背面に前記アンプ基板を固着して搭載し、パチンコ遊技機を構成する内枠の所定部位に組み付けられることを特徴とする。
【０００７】
請求項３記載の発明は、請求項２記載のパチンコ遊技機において、前記バススピーカユニットが取り付けられる前記内枠の所定部位は、当該バススピーカユニットの背面側に壁面が形成されていることを特徴とする。
【０００８】
請求項４記載の発明は、請求項２又は請求項３に記載のパチンコ遊技機において、前記音声制御基板と前記アンプ基板との配線接続は、遊技盤を前記内枠に組み付ける際、同時に接続されるフローティングコネクタにて行われることを特徴とする。
【発明の効果】
【０００９】
請求項１の発明によれば、アンプ基板がバススピーカ及び左右サテライトスピーカと電気的に接続されたので、バススピーカを具備させて音響効果を向上させることができるとともに、バススピーカ及び左右サテライトスピーカのアンプ基板を共用させて、当該アンプ基板の設置スペースを低減させることができる。
【００１０】
請求項２の発明によれば、バススピーカユニットの背面にアンプ基板を固着して搭載し、パチンコ遊技機を構成する内枠の所定部位に組み付けられるので、当該アンプ基板の設置スペースをより一層低減させることができるとともに、遊技盤を別途のものに交換してもバススピーカユニット及びアンプ基板を流用させることができ、交換時のコストを低減させることができる。
【００１１】
請求項３の発明によれば、バススピーカユニットが取り付けられる内枠の所定部位は、当該バススピーカユニットの背面側に壁面が形成されているので、組み付けられたアンプ基板を別個のカバー等を用いて保護する必要がなく、製造コストを低減させることができる。
【００１２】
請求項４の発明によれば、音声制御基板とアンプ基板との配線接続は、遊技盤を前記内枠に組み付ける際、同時に接続されるフローティングコネクタにて行われるので、組み付け時の配線の接続忘れを防止することができるとともに、配線の接続作業を容易化することができる。
【発明を実施するための最良の形態】
【００１３】
以下、本発明の実施形態について図面を参照しながら具体的に説明する。
本実施形態に係るパチンコ遊技機は、図１乃至図３に示すように、前面枠３、内枠１０及び外枠７から主に構成されており、このうち前面枠３には、遊技盤（裏面側の構成を図３の符号１１にて示してある）を透視し得るガラス窓２と、遊技盤上に遊技球を打ち出すためのハンドル４と、遊技者が投入する遊技球及び払い出しされた賞球等を受け得る受け皿５と、ステレオスピーカから成る左右サテライトスピーカ６とが形成されている。
【００１４】
ハンドル４は、遊技者が把持しつつ回動操作することにより、内部の発射装置（不図示）を駆動させ、連続的に遊技盤上へ遊技球を打ち出し可能としたものである。かかるハンドル４の回動操作にて遊技盤上へ打ち出された遊技球が、当該遊技盤上に形成された入賞口（普通入賞口や大入賞口等含む）に入賞すると、その入賞に対応して設定された個数の賞球が払い出しされるよう構成されている。受け皿５は、前面枠３から正面側（遊技者側）に膨出して形成され、遊技者が投入する遊技球、払い戻される賞球又はファウル球等を多数収容し得るものである。
【００１５】
一方、内枠１０の裏面側には、図３で示すように、電源基板１３、発射球抜き制御基板１４、フィルタ基板１５、払出計数ユニット１６或いは貯留タンクＴなどが配設され、パチンコ遊技機１の汎用的機能（遊技盤の種類によらない機能）を果たすよう構成されているとともに、このうち電源基板１３や発射球抜き制御基板１４など下部に位置するものは、ユニットＹとして構成され、一体的に組み付けられるよう構成されている。
【００１６】
また、内枠１０の正面側下部には、図２に示すように、低周波音響出力を出すためのバススピーカユニット８が配設されているとともに、前面枠３における当該バススピーカユニット８に対応した位置には、低周波音響出力を遊技者側に良好に出し得る出力用孔３ａが形成されている。かかるバススピーカユニット８は、図５に示すように、内部に空間を有する略箱形状の筐体８ａ内にバススピーカＢＳを収容して成るもので、筐体８ａの正面には、内部空間と外部とを連通し、低周波音響出力を良好たらしめる孔８ｂが形成されている。
【００１７】
ここで、本実施形態に係るバススピーカユニット８の背面８ｃには、後述する音声制御基板２０からの音声信号を増幅して出力させ得るアンプ基板９が固着され搭載されている。このように、アンプ基板９をバススピーカユニット８の背面８ｃに搭載することにより、当該アンプ基板９の配設スペースを小さくし、パチンコ遊技機１を構成する他の部品のレイアウトの自由度を向上させることができるとともに、これらを１部品として扱うことができるため、内枠３への組み付け時における部品点数を削減することができる。
【００１８】
尚、アンプ基板９の筐体８ａに対する固着は、ネジやボルト等の締結具、接着剤によるもの、或いは嵌合等による係合によるものなど、何れの方法であってもよい。また、アンプ基板９は、音声信号の増幅機能の他、各スピーカ（左右サテライトスピーカ６及びバススピーカＢＳ）への出力の振り分け（左又は右のサテライトスピーカ何れかの出力或いは低周波音響出力の振り分け等）機能などステレオ出力に必要な一般的機能を備えているものである。
【００１９】
また、バススピーカユニット８が取り付けられる内枠１０の所定部位は、図４に示すように、当該バススピーカユニット８の背面側に壁面Ｙａが形成されている。即ち、電源基板１３などが形成されたユニットＹの正面（同図中左側の面）が壁面Ｙａを成しており、この壁面Ｙａがパチンコ遊技機１の正面側から内枠１０に組み付けられたバススピーカユニット８の背面に位置するアンプ基板９を外部から覆い得る構成となっている。従って、組み付けられたアンプ基板９を別個のカバー等を用いて保護する必要がなく、製造コストを低減させることができる。
【００２０】
ところで、遊技盤１１は、その正面に電動役物、作動口、始動口、大入賞口、電動チューリップ或いは複数の遊技くぎや風車等（何れも不図示）が所定位置に配設されて成る一方、裏面側にはメイン基板１７、サブ制御基板１８、ランプ制御基板１９及び音声制御基板２０（図６参照）を収容するための透明樹脂ケースから成るメイン部１２が配設されている。尚、かかる遊技盤１１は、図２に示す内枠１０の所定部位Ｂの位置に組み付けられ、固定手段Ｋにて固定されるようになっている。
【００２１】
具体的には、メイン基板１７とサブ制御基板１８とが接続されて当該メイン基板１７の出力信号或いは制御信号をサブ制御基板１８に送信し得るよう構成されているとともに、サブ制御基板１８とランプ制御基板１９及び音声制御基板２０とが接続されて当該サブ制御基板１８の出力信号或いは制御信号をランプ制御基板１９及び音声制御基板２０にそれぞれ送信し得るよう構成されている。
【００２２】
メイン基板１７は、パチンコ遊技機１における遊技進行全般に係る制御を行うためのもので、内在するＣＰＵには遊技盤１１に形成された各種スイッチ（作動口の遊技球の通過を検知する作動口ＳＷ、電動チューリップを通過したことを検知する特定入賞口ＳＷなど）及びソレノイド（電動役物内の所定キャラクタ等を動作させる電動役物ソレノイド、大入賞口を開閉させる大入賞口ソレノイドなど）が接続されている。
【００２３】
サブ制御基板１８は、メイン基板１７からの制御信号に基づいて図柄表示手段（不図示）などの表示を制御するためのものである。ランプ制御基板１９は、パチンコ遊技機１の前面枠３等に形成された装飾ＬＥＤやサイドランプ、ガラス枠ランプと接続されて、これらランプ類の点灯又は点滅動作を制御するものである。音声制御基板２０は、メイン基板１７からの信号に基づき音声信号を発生するためのもので、左右サテライトスピーカ６及びバススピーカ８から音声を出力し聴覚的演出効果を奏するためのものである。
【００２４】
また、音声制御基板２０は、図６に示すように、フローティングコネクタＦを介してアンプ基板９と電気的に接続されて構成され、該アンプ基板９は、内枠１０に配設されたバススピーカユニット８（具体的にはバススピーカＢＳ）及び前面枠３に配設された左右サテライトスピーカ６の両者と電気的に接続されている。フローティングコネクタＦは、所定のガタを有したコネクタから成り、遊技盤１１を内枠１０に組み付ける際、当該遊技盤１１側のコネクタ（不図示）と同時に且つ自動的に接続して、音声制御基板２０とアンプ基板９との電気的接続を行わせるものである。これにより、当該音声制御基板２０からの音声信号は、アンプ基板９にて増幅され、低周波音響出力がバススピーカユニット８から出力されるとともに、他の音響出力が左右サテライトスピーカ６から出力されることとなる。
【００２５】
従って、アンプ基板９がバススピーカＢＳ及び左右サテライトスピーカ６と電気的に接続されたので、バススピーカＢＳを具備させて音響効果を向上させることができるとともに、バススピーカＢＳ及び左右サテライトスピーカ６のアンプ基板９を共用させて、当該アンプ基板９の設置スペースを低減させることができるとともに、パチンコ遊技機１全体の構成を簡素化することができる。
【００２６】
また、アンプ基板９及びバススピーカユニット８が内枠１０側に配設されているので、遊技盤１１を別途のものに交換してもバススピーカユニット８及びアンプ基板９を流用させることができ、遊技盤交換時のコストを低減させることができる。更に、遊技盤１１を内枠１０に組み付ける際、フローティングコネクタＦと遊技盤１１側のコネクタ（不図示）とが同時に且つ自動的に接続され、音声制御基板２０とアンプ基板９との電気的接続を行わせるので、組み付け時の配線の接続忘れを防止することができるとともに、配線の接続作業を容易化することができる。
【００２７】
以上、本実施形態について説明したが、本発明はこれに限定されるものではなく、例えば一般的な上下２段の受け皿（上皿及び下皿）を具備したパチンコ遊技機に適用するようにしてもよい。また、アンプ基板がバススピーカ及び左右サテライトスピーカと電気的に接続され、当該アンプ基板を共用するものであれば、バススピーカユニットとアンプ基板とを別体構成としてもよい。更に、バススピーカユニットの組み付けを背面側から行って別個の保護カバーを具備させたものとしてもよい。
【産業上の利用可能性】
【００２８】
アンプ基板により増幅された音声信号に基づき低周波音響出力を出すバススピーカを具備するとともに、アンプ基板が当該バススピーカ及び左右サテライトスピーカと電気的に接続されたパチンコ遊技機であれば、外観形状が異なるもの或いは他の機能が付加されたものにも適用することができる。
【図面の簡単な説明】
【００２９】
【図１】本発明の実施形態に係るパチンコ遊技機を示す正面図
【図２】同パチンコ遊技機の前面枠を開けた状態を示す斜視図
【図３】同パチンコ遊技機を背面側から見た斜視図
【図４】同パチンコ遊技機を側面を示すとともに、バススピーカユニットの配置位置を示す模式図
【図５】同パチンコ遊技機におけるバススピーカユニットを示す正面図及び右側面図
【図６】同パチンコ遊技機における主な構成部品の接続を示すブロック図
【符号の説明】
【００３０】
１    パチンコ遊技機
２    ガラス窓
３    前面枠
４    ハンドル
５    受け皿
６    左右サテライトスピーカ
７    外枠
８    バススピーカユニット
８ａ  筐体
８ｃ  背面
９    アンプ基板
１０  内枠
１１  遊技盤
１２  メイン部
１３  電源基板
１４  発射球抜き制御基板
１５  フィルタ基板
１６  払出計数ユニット
１７  メイン基板
１８  サブ制御基板
１９  ランプ制御基板
２０  音声制御基板
ＢＳ  バススピーカ
Ｙ    ユニット
【図１】
2006167115.tif 000003
【図２】
2006167115.tif 000004
【図３】
2006167115.tif 000005
【図４】
2006167115.tif 000006
【図５】
2006167115.tif 000007
【図６】
2006167115.tif 000008